(57)【要約】【課題】印刷装置のウェブ搬送機構におけるホッパローラユニットについて、搬送停止時に慣性力によってオーバーランしたウェブがループの底部位置を監視するセンサの光を遮蔽することを防止することである。【解決手段】ウェブ搬送用の回転体とエアループの検出センサとの間に位置し、回転体付近でウェブに生じた弛みがセンサ検出方向へ進むことを抑制するためのウェブ抑制部材を設けたことを特徴とする印刷装置とする。【選択図】          図１
2004331343.tif 000002
【特許請求の範囲】
【請求項１】
搬送されるウェブに画像を形成する印刷装置であって、ウェブに像を記録形成させる印写機構部と、前記印写機構部にウェブを搬送させるウェブ搬送機構と、前記印写機構部を通過した前記ウェブを前記ウェブ搬送機構の駆動源とは独立した駆動源によって排出させる搬送機構部と、印刷装置内部にウェブを取り込むウェブ取り込み機構と、前記ウェブ取り込み機構の前段に位置し、前記ウェブ取り込み機構によりウェブを取り込む際の抵抗低減を目的とする、回転体および回転体保持部および前記回転体と前記回転体保持部とを繋ぐ軸で構成されたウェブ導入機構部と、前記ウェブ取り込み機構の後段に位置し、ウェブを弛ませて搬送させるエアループ機構部と、前記エアループ機構部にて、エアループ底部の高さを検知してウェブの弛み量を一定に保つセンサとを有する印刷装置において、前記回転体と前記センサとの間に位置し、回転体付近でウェブに生じた弛みがセンサ検出方向へ進むことを抑制するためのウェブ抑制部材を設けたことを特徴とする印刷装置。
【請求項２】
前記ウェブ導入機構部において、前記ウェブ抑制部材をウェブの幅方向に渡って設けたことを特徴とする請求項１記載の印刷装置。
【発明の詳細な説明】
【０００１】
【発明の属する技術分野】
本発明は、長尺のウェブに対する印刷装置におけるウェブ搬送機構に関する。
【０００２】
【従来の技術】
従来から、長尺のウェブの搬送において、エアループ機構を有する印刷装置が知られている（例えば、特許文献１参照）。
【０００３】
図３に、従来技術による印刷装置の一例として、電子写真方式を用いた印刷装置の概略図を示す。
【０００４】
ウェブ７は印刷装置の筐体下側を通り、軸受け等によって滑らかに回転できるローラを有するホッパローラユニット６を経て、駆動ローラと押付けローラからなるドライブローラユニット１１によって搬送された後、ウェブを挟み込む形で一対のローラが配置され、ウェブにテンションを与えることを目的とするプレッシャローラユニット１８へ至るまでの区間において弛みを与えられてエアループ１７を形成する。
【０００５】
プレッシャローラユニット１８にてテンションを与えられた前記ウェブは、ドライブローラユニット１１とは独立した駆動源を持つ搬送ユニット１９によって両端部を保持された状態か、転写器１６に対してウェブ搬送方向上流側に設けられた駆動ローラと押付けローラからなる挟持搬送ローラユニット２２と、転写器１６に対してウェブ搬送方向下流側に設けられた、空気の負圧によりウェブを穴の開いたベルトに吸着させ搬送させる吸引ベルトユニット２３とによって、中央部のみ保持された状態で搬送されて印写機構部２４に達する。
【０００６】
印写機構部２４においては、感光ドラム１２が回転し、帯電器１３によって感光ドラム表面には電荷が均一に帯電され、文字や図形等のデータが光学ユニット部１４からのレーザー光として照射されることにより、感光体表面に潜像が形成される。
【０００７】
前記潜像には、現像装置１５によってトナーを付着されることで感光体表面にはトナー像が形成される。前記トナー像は転写器１６によってトナー像と逆極性の電荷をウェブ７に与えることでウェブ上にトナーが転写され、トナー２１が転写された前記ウェブは前記搬送ユニット１９によって両端部を保持された状態か、前記挟持搬送ローラユニット２２および前記吸引ベルトユニット２３とによって中央部のみ保持された状態で揺動可能でウェブの弛みや張りを吸収することを目的とするバッファ機構部２６を経て、定着搬送機構部２７へ搬送される。ウェブ搬送機構部２５とは独立した駆動源を持つ定着搬送機構部２７においては、熱を有した定着ロールと定着ロールとは逆方向に回転するバックアップロールからなる定着搬送ロールユニット２８によって前記ウェブを挟み込み、ウェブ上のトナー像を溶融定着させながらウェブを搬送する。
【０００８】
図４に、前記電子写真式印刷装置のウェブ搬送機構におけるホッパローラユニットの構成を示す。ホッパローラユニットはローラ１、ローラ保持部２、軸３、軸受け４からなる。ローラ１の両端には軸受け４が設けられ、ローラ保持部２両端にネジ等で固定された軸３が軸受け４を貫通しており、ローラ１は軸受け４によって滑らかに回転する。
【０００９】
また、ドライブローラユニット１１の搬送速度は、図５に示すように、一対の発光部８ａおよび受光部８ｂで構成され、エアループの高さ方向に複数配置されたセンサによって検知されたループ底部１０の位置により制御される。発光部８ａより発せられた光９がウェブによって遮蔽されるとセンサがウェブを感知し、各センサのウェブ感知状況により、ループ底部１０の位置が図のレベル１〜５のどの範囲にあるかを検知する。ウェブ搬送時においてはループ底部１０の位置が常にレベル３の範囲に留まるよう、センサが検知したループ底部位置のレベルに応じてドライブローラユニット１１の搬送速度を制御する（レベルが高いほど搬送速度を上げるようにしている）。ただし、ループ底部１０の位置がレベル５の範囲に上がってから一定時間以上経過すると、エアループの弛み量が少なくなり過ぎていると判断し、印刷装置に緊急停止が掛かる仕組みとしている。
【００１０】
近年の印刷装置は、印刷速度の飛躍的向上により（印刷速度３５ｉｐｓ以上）、搬送停止時において、ウェブに作用する慣性力も大きくなっている。
【００１１】
そのため、このような従来方式のウェブ搬送機構では、搬送停止時にホッパローラユニット６にて、搬送時ローラ１に接していたウェブ７ａがオーバーランしてローラ１から大きく離れてしまう。これにより、図に示すようにウェブがセンサを遮蔽し（ウェブ７ｂの状態）、センサが「ループの底部がレベル１の範囲にある」と誤検知する。このため、続く搬送開始直後におけるドライブローラユニット１１の搬送速度がループ底部１０の位置レベル（図示の場合はレベル３）に応じた速度まで上がらず、エアループ１７の弛み量が急激に減少してループ底部１０の位置がレベル５の範囲まで上がって印刷装置に緊急停止が掛かってしまうという問題があった。
【特許文献１】
特開２００１−３３５２０６号公報（図１）
【００１２】
【発明が解決しようとする課題】
本発明の目的は、搬送停止時にホッパローラユニットにてオーバーランしたウェブをセンサが誤検知して、ドライブローラユニットで搬送速度の誤制御が起こることを防止することである。
【００１３】
【課題を解決するための手段】
上記課題を解決するため、本発明では、搬送されるウェブに画像を形成する印刷装置であって、ウェブに像を記録形成させる印写機構部と、前記印写機構部にウェブを搬送させるウェブ搬送機構と、前記印写機構部を通過した前記ウェブを前記ウェブ搬送機構の駆動源とは独立した駆動源によって排出させる搬送機構部と、印刷装置内部にウェブを取り込むウェブ取り込み機構と、前記ウェブ取り込み機構の前段に位置し、前記ウェブ取り込み機構によりウェブを取り込む際の抵抗低減を目的とする、回転体および回転体保持部および前記回転体と前記回転体保持部とを繋ぐ軸で構成されたウェブ導入機構部と、前記ウェブ取り込み機構の後段に位置し、ウェブを弛ませて搬送させるエアループ機構部と、前記エアループ機構部にて、エアループ底部の高さを検知してウェブの弛み量を一定に保つセンサとを有する印刷装置において、前記回転体と前記センサとの間に位置し、回転体付近でウェブに生じた弛みがセンサ検出方向へ進むことを抑制するためのウェブ抑制部材を設けたことを特徴とする。
【００１４】
また、前記ウェブ導入機構部において、前記ウェブ抑制部材をウェブの幅方向に渡って設けたことを特徴とする。
【００１５】
【発明の実施の形態】
図１は、本発明の実施例に基づく電子写真式印刷装置のウェブ搬送機構におけるホッパローラユニットに搬送停止時オーバーランしたウェブの進行を抑制するためのウェブ抑制部材を設けた状態を示す図である。
【００１６】
図２は、本発明の実施例に基づく電子写真式印刷装置のウェブ搬送機構を示す図である。
【００１７】
ホッパローラユニットはローラ１、ローラ保持部２、軸３、軸受け４およびストッパ５からなる。ローラ保持部２両端においてネジ等で固定された軸３は、両端に軸受け４が設けられたローラ１を貫通しており、ローラ１は軸受け４によって滑らかに回転する。さらに、ローラ保持部２にはストッパ５が両端をネジ等で固定される形で取付けられている。
【００１８】
搬送停止時にウェブに作用する慣性力により、ホッパローラユニットにて、搬送時ローラ１に接していたウェブ７はローラから離れ、センサの検出方向（図２のＡ方向）に進もうとする。ここでローラ保持部２に取り付けられたストッパ５にウェブ７が接触することにより、図に示すようにウェブ７の進行が抑制される。
【００１９】
この結果、搬送停止時においてオーバーランしたウェブがループ底部位置を検知するためのセンサの光９を遮蔽しなくなり、ループ底部位置の誤検知が抑えられる。尚、ローラ１とストッパ５の間の隙間について、水平方向距離Ｈはウェブ７をローラ１とストッパ５の間を通す際の作業性、および図２に示した搬送停止時にストッパ５の下部にもぐり込んだウェブ７をセンサ発光部８ａまで到達させないようにすることを考慮して、２０ｍｍ程度とすることが好ましい。また、垂直方向距離Ｖは、搬送停止時に慣性力によりＡ方向に進むウェブ７がストッパ５を乗り越さないことと、搬送停止時にストッパ５の下部にもぐり込んだウェブ７をセンサ発光部８ａまで到達させないようにすることを考慮して５０ｍｍ程度とすることが好ましい。
【００２０】
上記の構成によれば、搬送停止時に慣性力によってセンサの検出方向に進もうとするウェブ７がストッパ５によって抑制される結果、搬送停止時におけるループ底部位置の誤検知が抑えられ、続く搬送開始直後にドライブローラユニット１１にて搬送速度制御に誤制御が発生し、エアループ１７の弛み量が急激に減少して印刷装置に緊急停止が掛かることを防止する。
【００２１】
【発明の効果】
本発明によれば、ストッパによって搬送停止時の慣性力によるウェブの進行を抑制することにより、搬送停止時におけるウェブのセンサ遮蔽およびループ底部位置の誤検知を防止し、続く搬送開始時にループ底部位置を検知するセンサによる搬送速度の誤制御を防止することによって安定したウェブ搬送を提供することが可能となる。
【図面の簡単な説明】
【図１】本発明のウェブ抑制部材を設けたホッパローラユニットを示す概略図である。
【図２】本発明のウェブ搬送機構を示す概略図である。
【図３】印刷装置の概略図である。
【図４】従来のホッパローラユニットを示す概略図である。
【図５】従来のウェブ搬送機構で生じるウェブのセンサ遮蔽の様子を示す概略図である。
【符号の説明】
１はローラ、２はローラ保持部、３は軸、４は軸受け、５はストッパである。
【図１】
2004331343.tif 000003
【図２】
2004331343.tif 000004
【図３】
2004331343.tif 000005
【図４】
2004331343.tif 000006
【図５】
2004331343.tif 000007